【手続補正書】
【提出日】平成17年9月28日(2005.9.28)
【手続補正１】
【補正対象書類名】明細書
【補正対象項目名】特許請求の範囲
【補正方法】変更
【補正の内容】
【特許請求の範囲】
【請求項１】  識別情報が配された可変表示部材を回転動作させて識別情報を可変表示可能な可変表示装置を含み、可変表示開始の条件の成立に応じて識別情報の可変表示を開始し、識別情報の表示結果があらかじめ定められた特定表示態様となったことを条件として遊技者に有利な特定遊技状態に制御可能な遊技機であって、
遊技の進行を制御する遊技制御手段と、
前記遊技制御手段から送出されるコマンドにもとづいて前記可変表示装置の表示制御を行う表示制御手段とを備え、
前記可変表示部材の位置を検出するための位置検出手段が設けられ、
前記表示制御手段は、前記可変表示部材の位置を特定可能な位置データが記憶される記憶手段を含み、
前記遊技制御手段は、電力供給が開始されたときに、電力供給開始を示す電力供給開始コマンドを送出し、可変表示開始の条件が成立したときに、可変表示期間を特定するための可変表示コマンドと可変表示装置における識別情報の表示結果を特定するための表示結果コマンドとを送出し、前記可変表示期間が経過して可変表示を終了させるときに、前記可変表示装置における識別情報の可変表示の停止を指示する停止コマンドを送出し、
前記表示制御手段は、前記電力供給開始コマンドにもとづいて、前記可変表示部材を回転動作させ、前記回転動作において前記位置検出手段の検出が正常に行われるか否かの確認を行い、前記位置検出手段からの検出出力があったときに前記位置データを初期化し、前記位置データにもとづく前記可変表示部材の位置があらかじめ定められている初期表示識別情報の表示位置にきたときに前記可変表示部材を停止させて初期表示識別情報を導出表示する制御を行い、
前記可変表示コマンドにもとづいて、前記可変表示部材を回転動作させて識別情報の可変表示を開始する制御を行い、前記位置検出手段からの検出出力があったときに前記位置データを初期化し、
前記停止コマンドにもとづいて、前記位置データにもとづく前記可変表示部材の位置が前記表示結果コマンドにより特定された識別情報の表示結果の表示位置にきたときに前記可変表示部材を停止させて表示結果を導出表示する制御を行う
ことを特徴とする遊技機。
【請求項２】  表示制御手段は、回転動作が開始された後、所定期間内における位置検出手段からの検出出力の有無によって、位置検出手段の検出が正常に行われるか否かの確認を行う
請求項１記載の遊技機。
【請求項３】  表示制御手段は、位置検出手段の検出が正常に行われないことを確認した場合には、前記位置検出手段の検出が正常に行われない旨の報知処理を行う
請求項１または請求項２記載の遊技機。
【請求項４】  表示制御手段は、可変表示部材を停止させず回転を継続させることによって報知処理を行う
請求項３記載の遊技機。
【請求項５】  表示制御手段は、位置検出手段の検出が正常に行われるか否かを未確認の状態であった場合でも、可変表示コマンドにもとづいて識別情報の可変表示を開始させる
請求項１ないし請求項４記載の遊技機。
【請求項６】  遊技制御手段は、複数のコマンドを格納することが可能なリングバッファ形式のコマンド格納エリアを有し、前記コマンド格納エリアからコマンドを読み出して表示制御手段に送出する
請求項１ないし請求項５記載の遊技機。
【請求項７】  表示制御手段は、受信した複数のコマンドを格納することが可能なリングバッファ形式の受信コマンド格納エリアを有し、受信したコマンドを前記受信コマンド格納エリアに格納するとともに、前記受信コマンド格納エリアから読み出したコマンドにもとづいて表示制御を行う
請求項１ないし請求項６記載の遊技機。
【手続補正２】
【補正対象書類名】明細書
【補正対象項目名】００１０
【補正方法】変更
【補正の内容】
【００１０】
【課題を解決するための手段】
本発明による遊技機は、識別情報が配された可変表示部材を回転動作させて識別情報を可変表示可能な可変表示装置を含み、可変表示開始の条件の成立に応じて識別情報の可変表示を開始し、識別情報の表示結果があらかじめ定められた特定表示態様となったことを条件として遊技者に有利な特定遊技状態に制御可能な遊技機であって、遊技の進行を制御する遊技制御手段と、遊技制御手段から送出されるコマンドにもとづいて可変表示装置の表示制御を行う表示制御手段とを備え、可変表示部材の位置を検出するための位置検出手段が設けられ、表示制御手段が、可変表示部材の位置を特定可能な位置データが記憶される記憶手段を含み、遊技制御手段が、電力供給が開始されたときに、電力供給開始を示す電力供給開始コマンドを送出し、可変表示開始の条件が成立したときに、可変表示期間を特定するための可変表示コマンドと可変表示装置における識別情報の表示結果を特定するための表示結果コマンドとを送出し、可変表示期間が経過して可変表示を終了させるときに、可変表示装置における識別情報の可変表示の停止を指示する停止コマンドを送出し、表示制御手段が、電力供給開始コマンドにもとづいて、可変表示部材を回転動作させ、回転動作において位置検出手段の検出が正常に行われるか否かの確認を行い、位置検出手段からの検出出力があったときに位置データを初期化し、位置データにもとづく可変表示部材の位置があらかじめ定められている初期表示識別情報の表示位置にきたときに可変表示部材を停止させて初期表示識別情報を導出表示する制御を行い、可変表示コマンドにもとづいて、可変表示部材を回転動作させて識別情報の可変表示を開始する制御を行い、位置検出手段からの検出出力があったときに位置データを初期化し、停止コマンドにもとづいて、位置データにもとづく可変表示部材の位置が表示結果コマンドにより特定された識別情報の表示結果の表示位置にきたときに可変表示部材を停止させて表示結果を導出表示する制御を行うことを特徴とする。
【手続補正３】
【補正対象書類名】明細書
【補正対象項目名】００１６
【補正方法】変更
【補正の内容】
【００１６】
表示制御手段が、位置検出手段の検出が正常に行われるか否かを未確認の状態であった場合でも、可変表示コマンドにもとづいて識別情報の可変表示を開始させるように構成されていてもよい。
【手続補正４】
【補正対象書類名】明細書
【補正対象項目名】０３５２
【補正方法】変更
【補正の内容】
【０３５２】
【発明の効果】
請求項１記載の発明では、遊技機を、遊技制御手段が、電力供給が開始されたときに、電力供給開始を示す電力供給開始コマンドを送出し、表示制御手段が、電力供給開始コマンドにもとづいて、可変表示部材を回転動作させ、その回転動作において位置検出手段の検出が正常に行われるか否かの確認を行うように構成したので、可変表示装置がドラムやベルト等の回転する可変表示部材で構成されている遊技機において、位置検出手段を用いた表示識別情報の確認に要する遊技制御手段の負担が軽減される効果がある。また、電力供給が開始されたときの初期動作において位置検出手段の検出が正常に行われるか否かが確認されるので、後の遊技制御において、可変表示制御に支障を来すことがないという効果がある。
【手続補正５】
【補正対象書類名】明細書
【補正対象項目名】０３５４
【補正方法】削除
【補正の内容】
【手続補正６】
【補正対象書類名】明細書
【補正対象項目名】０３５５
【補正方法】削除
【補正の内容】
【手続補正７】
【補正対象書類名】明細書
【補正対象項目名】０３５６
【補正方法】変更
【補正の内容】
【０３５６】
請求項３記載の発明では、遊技機を、表示制御手段が、位置検出手段の検出が正常に行われないことを確認した場合には、位置検出手段の検出が正常に行われない旨の報知処理を行うように構成したので、遊技者等が直ちに位置検出手段の異常を確認することができる。
【手続補正８】
【補正対象書類名】明細書
【補正対象項目名】０３５７
【補正方法】変更
【補正の内容】
【０３５７】
請求項４記載の発明では、遊技機を、表示制御手段が、可変表示部材を停止させず回転を継続させることによって報知処理を行うように構成したので、遊技者等が容易に位置検出手段の異常を確認することができる。
【手続補正９】
【補正対象書類名】明細書
【補正対象項目名】０３５８
【補正方法】変更
【補正の内容】
【０３５８】
請求項５記載の発明では、遊技機を、表示制御手段が、位置検出手段の検出が正常に行われるか否かを未確認の状態であった場合でも、可変表示コマンドにもとづいて識別情報の可変表示を開始させるように構成したので、位置検出手段のチェックよりも可変表示開始の条件の成立が優先されるので、識別情報の可変表示を迅速に開始することができ、位置検出手段のチェックによって遊技進行が停滞してしまうことはない。
【手続補正１０】
【補正対象書類名】明細書
【補正対象項目名】０３５９
【補正方法】削除
【補正の内容】
【手続補正１１】
【補正対象書類名】明細書
【補正対象項目名】０３６０
【補正方法】削除
【補正の内容】
【手続補正１２】
【補正対象書類名】明細書
【補正対象項目名】０３６１
【補正方法】削除
【補正の内容】
【手続補正１３】
【補正対象書類名】明細書
【補正対象項目名】０３６２
【補正方法】変更
【補正の内容】
【０３６２】
請求項６記載の発明では、遊技機を、遊技制御手段が、複数のコマンドを格納することが可能なリングバッファ形式のコマンド格納エリアを有し、コマンド格納エリアからコマンドを読み出して表示制御手段に送出するように構成したので、遊技制御手段のコマンド信号送出制御負担を軽減できるとともに、遊技制御手段のコマンド送出処理が遅れても、表示制御手段に対して確実にコマンドを送出することができる。
【手続補正１４】
【補正対象書類名】明細書
【補正対象項目名】０３６３
【補正方法】変更
【補正の内容】
【０３６３】
請求項７記載の発明では、遊技機を、表示制御手段が、受信した複数のコマンドを格納することが可能なリングバッファ形式の受信コマンド格納エリアを有し、受信したコマンドを受信コマンド格納エリアに格納するとともに、受信コマンド格納エリアから読み出したコマンドにもとづいて表示制御を行うように構成したので、受信コマンド格納エリアからのコマンド読出処理が遅れても、新たに受信されたコマンドによって受信コマンド格納エリアが上書きされることはなく、遊技制御手段からのコマンドが消失してしまうことはない。